(57)【要約】【課題】非同期方式符号分割多重接続移動通信システムでマルチキャストマルチメディア放送サービスを受信している移動端末に対するソフトハンドオーバ装置及び方法を提供する。【解決手段】本発明はマルチキャストマルチメディア放送サービスを支援する符号分割多重接続移動通信システムのソフトハンドオーバ決定方法及び装置に関する。本発明はＭＢＭＳを支援する非同期方式移動通信システムで移動端末が複数の基地局からデータ受信が可能な地域へ移動する時、前記移動端末がソフトハンドオーバを遂行することにおいて、その決定方法を提供する。これにより本発明は移動端末が複数の基地局から受信するＭＢＭＳデータのソフトコンバイン可否を自体的に判定できるようにし、従ってＭＢＭＳ使用者が既存のセルから新たなセルに移動しても安定的なＭＢＭＳが提供されることによって使用者の便宜を増大させることができるようにする。【選択図】図４
2004166209.tif 000002
【特許請求の範囲】
【請求項１】
マルチキャストマルチメディア放送サービス（ＭＢＭＳサービス）に従うマルチキャストマルチメディア放送サービスデータ（ＭＢＭＳデータ）を提供する第１基地局と、前記第１基地局から前記マルチキャストマルチメディア放送サービスデータを受信する移動端末と、前記第１基地局に隣接した周辺基地局と、を含む符号分割多重接続移動通信システムで、前記移動端末が前記第１基地局及び前記周辺基地局からのマルチキャストマルチメディア放送サービスデータをソフトコンバインする方法において、
前記第１基地局から前記周辺基地局のＭＢＭＳサービス情報を収集する過程と、
前記第１基地局から受信される信号の測定値と前記周辺基地局のうち少なくとも一つの周辺基地局から受信される信号の測定値を比較して、前記ソフトコンバインが要求されるかを判断する過程と、
前記ソフトコンバインが要求される場合、前記ＭＢＭＳサービス情報により前記ソフトコンバインが要求される周辺基地局からのＭＢＭＳデータを受信し、前記周辺基地局からのＭＢＭＳデータと前記第１基地局からのＭＢＭＳデータとのソフトコンバインを遂行する過程と、を含むことを特徴とする方法。
【請求項２】
前記測定値は共通パイロットチャネル信号の受信強さである請求項１記載の方法。
【請求項３】
前記測定値は共通パイロットチャネルの信号対雑音比である請求項１記載の方法。
【請求項４】
前記第１基地局から受信される信号の測定値より前記少なくとも一つの周辺基地局から受信される信号の測定値が所定基準値以上大きいと、前記ソフトコンバインが要求されると判断する請求項１記載の方法。
【請求項５】
前記第１基地局から受信される信号の測定値と前記第２基地局から受信される信号の測定値の差異が予め定められたヒステリシス値以内にあると、前記ソフトコンバインが要求されると判断する請求項１記載の方法。
【請求項６】
前記少なくとも一つの周辺基地局からのすべての多重経路信号の測定値の合算値が、前記第１基地局からのすべての多重経路信号の測定値の合算値より所定基準値以上大きいと、前記ソフトコンバインが要求されると判断する請求項１記載の方法。
【請求項７】
前記周辺基地局から受信される信号の強さと前記第１基地局から受信される信号の強さとの差異が所定ヒステリシス値以内であれば、前記ソフトコンバインが要求されると判断する請求項１記載の方法。
【請求項８】
マルチキャストマルチメディア放送サービス（ＭＢＭＳサービス）に従うマルチキャストマルチメディア放送サービスデータ（ＭＢＭＳデータ）を提供する第１基地局と、前記第１基地局から前記ＭＢＭＳデータを受信する移動端末と、前記第１基地局に隣接した周辺基地局と、を含む非同期方式の符号分割多重接続移動通信システムで、前記移動端末が前記第１基地局からのＭＢＭＳデータと前記周辺基地局からのＭＢＭＳデータとのソフトコンバインを決定する装置において、
前記第１基地局及び前記少なくとも一つの周辺基地局からの信号を受信し、前記信号それぞれに対応した測定値を出力するサーチャーと、
前記第１基地局から前記周辺基地局のＭＢＭＳ関連情報を収集し、前記ソフトコンバインが要求される場合、前記第１基地局からのＭＢＭＳデータと前記コンバインが要求される少なくとも一つの周辺基地局からのＭＢＭＳデータを受信するフィンガーを割り当てる制御部と、を含み、
ここで、前記周辺基地局に対応して割り当てられたフィンガーが前記ＭＢＭＳ情報により前記周辺基地局からのＭＢＭＳデータを受信し、前記受信したＭＢＭＳデータを前記第１基地局に対応して割り当てられたフィンガーにより受信されたＭＢＭＳデータとソフトコンバインを遂行することを特徴とする装置。
【請求項９】
前記測定値は共通パイロットチャネルの受信信号強さ値である請求項８記載の装置。
【請求項１０】
前記測定値は共通パイロットチャネルの信号対雑音比である請求項８記載の装置。
【請求項１１】
前記制御部は、前記周辺基地局からのすべての多重経路信号の測定値の合算値が、前記第１基地局からのすべての多重経路信号の測定値の合算値より所定基準値以上大きいと、前記ソフトコンバインが要求されると判断する請求項８記載の装置。
【請求項１２】
前記制御部は、前記周辺基地局から受信される信号の強さと前記第１基地局から受信される信号の強さとの差異が所定ヒステリシス値以内であれば、前記ソフトコンバインが要求されると判断する請求項８記載の装置。
【請求項１３】
マルチキャストマルチメディア放送サービス（ＭＢＭＳサービス）に従うマルチキャストマルチメディア放送サービスデータ（ＭＢＭＳデータ）を提供する第１基地局と、前記第１基地局から前記マルチキャストマルチメディア放送サービスデータを受信する移動端末と、前記第１基地局に隣接した周辺基地局と、を含む非同期方式の符号分割多重接続移動通信システムで、前記移動端末が前記第１基地局及び前記周辺基地局からのマルチキャストマルチメディア放送サービスデータをソフトコンバインする方法において、
前記第１基地局から受信される信号の測定値と前記周辺基地局のうち少なくとも一つの周辺基地局から受信される信号の測定値を比較して、前記ソフトコンバインが要求されるかを判断する過程と、
前記ソフトコンバインが要求される場合、前記ソフトコンバインが要求される周辺基地局からＭＢＭＳサービス関連情報を収集し、前記ＭＢＭＳサービス関連情報により前記周辺基地局からのＭＢＭＳデータを受信する過程と、
前記受信したＭＢＭＳデータと前記第１基地局からのＭＢＭＳデータとのソフトコンバインを遂行する過程と、を含むことを特徴とする方法。
【請求項１４】
前記ＭＢＭＳサービス関連情報を収集する過程は、
前記周辺基地局からの第１共通制御物理チャネルを通じてＭＢＭＳ制御チャネル関連情報を受信する段階と、
前記ＭＢＭＳ制御チャネル関連情報によりＭＢＭＳ制御チャネルを通じて受信される前記ＭＢＭＳ関連情報を受信する段階と、を含む請求項１３記載の方法。
【請求項１５】
前記測定値は共通パイロットチャネル信号の受信強さである請求項１３記載の方法。
【請求項１６】
前記測定値は共通パイロットチャネルの信号対雑音比である請求項１３記載の方法。
【請求項１７】
前記第１基地局から受信される信号の測定値より前記少なくとも一つの周辺基地局から受信される信号の測定値が所定基準値以上大きいと、前記ソフトコンバインが要求されることに判断する請求項１３記載の方法。
【請求項１８】
前記第１基地局から受信される信号の測定値と前記第２基地局から受信される信号の測定値の差異が予め定められたヒステリシス値以内であれば、前記ソフトコンバインが要求されると判断する請求項１３記載の方法。
【請求項１９】
前記少なくとも一つの周辺基地局からのすべての多重経路信号の測定値の合算値が、前記第１基地局からのすべての多重経路信号の測定値の合算値より所定基準値以上大きいと、前記ソフトコンバインが要求されると判断する請求項１３記載の方法。
【請求項２０】
前記周辺基地局から受信される信号の強さと前記第１基地局から受信される信号の強さとの差異が所定ヒステリシス値以内であれば、前記ソフトコンバインが要求されると判断する請求項１３記載の方法。
【請求項２１】
マルチキャストマルチメディア放送サービス（ＭＢＭＳサービス）に従うマルチキャストマルチメディア放送サービスデータ（ＭＢＭＳデータ）を提供する第１基地局と、前記第１基地局から前記ＭＢＭＳデータを受信する移動端末と、前記第１基地局に隣接した周辺基地局と、を含む非同期方式の符号分割多重接続移動通信システムで、前記移動端末が前記第１基地局からのＭＢＭＳデータと前記周辺基地局からのＭＢＭＳデータとのソフトコンバインを決定する装置において、
前記第１基地局及び前記少なくとも一つの周辺基地局からの信号を受信し、前記信号それぞれに対応した測定値を出力するサーチャーと、
前記サーチャーからの測定値を比較して前記ソフトコンバインが要求される周辺基地局からＭＢＭＳ関連情報を収集し、前記第１基地局からのＭＢＭＳデータと前記コンバインが要求される周辺基地局からのＭＢＭＳデータを受信するフィンガーを割り当てる制御部と、を含み、
ここで、前記周辺基地局に対応して割り当てられたフィンガーが前記ＭＢＭＳ関連情報により前記周辺基地局からのＭＢＭＳデータを受信し、前記受信したＭＢＭＳデータと前記第１基地局に対応して割り当てられたフィンガーにより受信されたＭＢＭＳデータとのコンバインを遂行することを特徴とする装置。
【請求項２２】
前記測定値は共通パイロットチャネルの受信信号強さ値である請求項２１記載の装置。
【請求項２３】
前記測定値は共通パイロットチャネルの信号対雑音比である請求項２１記載の装置。
【請求項２４】
前記制御部は、前記周辺基地局からのすべての多重経路信号の測定値の合算値が、前記第１基地局からのすべての多重経路信号の測定値の合算値より所定基準値以上大きいと、前記ソフトコンバインが要求されると判断する請求項２１記載の装置。
【請求項２５】
前記制御部は、前記周辺基地局から受信される信号の強さと前記第１基地局から受信される信号の強さとの差異が所定ヒステリシス値以内であれば、前記ソフトコンバインが要求されると判断する請求項２１記載の装置。
【請求項２６】
前記ＭＢＭＳ関連情報は、前記周辺基地局で提供されているＭＢＭＳサービスを識別する情報と、前記周辺基地局からのＭＢＭＳデータを受信するためのチャネル情報と、を含む請求項２１記載の装置。
【請求項２７】
前記制御部は、前記ＭＢＭＳサービスを識別する情報が前記第１基地局からのＭＢＭＳサービスを含むと、前記周辺基地局からのＭＢＭＳデータを受信するフィンガーを割り当てる請求項２６記載の装置。
【発明の詳細な説明】
【技術分野】
【０００１】
本発明は非同期式符号分割多重接続移動通信システムでソフトハンドオーバに関するもので、特にマルチキャストマルチメディア放送サービスを支援する移動端末のソフトハンドオーバ決定方法に関する。
【背景技術】
【０００２】
最近通信産業の発達により音声サービスデータだけではなくパケットデータ、サーキットデータなどのような大容量のデータを伝送するマルチキャスティングマルチメディア通信のためのサービスは、符号分割多重接続（Ｃｏｄｅ  Ｄｉｖｉｓｉｏｎ  Ｍｕｌｔｉｐｌｅ  Ａｃｃｅｓｓ、以下、ＣＤＭＡ）移動通信システムで発展しつつある。従って、前記マルチキャスティングマルチメディア通信を支援するために、一つのデータソースで多数の移動端末（Ｕｓｅｒ  Ｅｑｕｉｐｍｅｎｔ、以下、ＵＥ）にサービスを提供する放送／マルチキャストサービス（Ｂｒｏａｄｃａｓｔ／Ｍｕｌｔｉｃａｓｔ  Ｓｅｒｖｉｃｅ）がある。前記放送／マルチキャストサービスは、メッセージ中心のサービスであるセル放送サービス（Ｃｅｌｌ  Ｂｒｏａｄｃａｓｔ  Ｓｅｒｖｉｃｅ、以下、ＣＢＳ）と、実時間映像及び音声、停止映像、文字などマルチメディア形態を支援するマルチキャストマルチメディア放送サービス（Ｍｕｌｔｉｍｅｄｉａ  Ｂｒｏａｄｃａｓｔ／Ｍｕｌｔｉｃａｓｔ  Ｓｅｒｖｉｃｅ、以下、ＭＢＭＳ）に区分することができる。
【０００３】
前記ＣＢＳは特定サービス地域に位置するすべてのＵＥへ多数個のメッセージを放送するサービスである。この時、前記ＣＢＳを提供する前記特定サービス地域は一つのセル内で前記ＣＢＳが提供される全体領域になることができる。前記ＭＢＭＳは音声データと映像データを同時に提供するサービスとして、大量の伝送資源を要求する。従って、一つのセル内で同時に多量のサービスが展開される可能性があるので、前記ＭＢＭＳは放送チャネルを通じてサービスされる。
【０００４】
通常的にＵＥは一つのセル領域のみに留まるものではなく、他のセル領域へ移動するようになる。この時、既存の音声サービス及びデータサービスの場合にはソフトハンドオーバを通じてサービスが持続されることができる。一方、データ送受信時のハンドオーバはＣＥＬＬ＿ＤＣＨ状態でのハンドオーバとＣＥＬＬ＿ＦＡＣＨ状態でのハンドオーバに大別することができる。
【０００５】
前記ＣＥＬＬ＿ＤＣＨ状態でのハンドオーバは、専用チャネル（ＤＣＨ：Ｄｅｄｉｃａｔｅｄ  Ｃｈａｎｎｅｌ）が設定されている場合である。前記ＣＥＬＬ＿ＤＣＨ状態でのハンドオーバ手続きに対して説明すると、ＵＥは共通パイロットチャネル（Ｃｏｍｍｏｎ  Ｐｉｌｏｔ  Ｃｈａｎｎｅｌ、以下、ＣＰＩＣＨ）を測定してＳＲＮＣ（Ｓｅｒｖｉｎｇ  Ｒａｄｉｏ  Ｎｅｔｗｏｒｋ  Ｃｏｎｔｒｏｌｌｅｒ）に報告する。前記ＳＲＮＣは前記ＵＥからの報告結果からハンドオーバ遂行可否を判定して前記ＵＥにハンドオーバを命令する。従って、前記ＵＥの報告と前記ＳＲＮＣのハンドオーバ命令の組み合わせによりソフトコンバインを可能にする方式である。
【０００６】
前記ＣＥＬＬ＿ＦＡＣＨ（Ｆｏｒｗａｒｄ  Ａｃｃｅｓｓ  Ｃｈａｎｎｅｌ）状態でのハンドオーバは、共通チャネルが設定されている場合である。前記ＣＥＬＬ＿ＦＡＣＨ状態でハンドオーバ手続きに対して説明すると、ＵＥはＣＰＩＣＨを測定して自ら最適セルを決定してセルアップデートを遂行する。この場合にはＳＲＮＣへの報告が必要ないが、ソフトコンバインができないようになる。このような理由により放送チャネルを通じてサービスされるので、前記ＣＥＬＬ＿ＦＡＣＨ状態でのハンドオーバを考慮すべき前記ＭＢＭＳはソフトコンバイン問題に直面するようになった。
【文献１】
韓国特許出願番号Ｐ２００２−２３２８３
【考案の開示】
【発明が解決しようとする課題】
【０００７】
従って、上述したような問題点を解決するための本発明の目的は、非同期方式符号分割多重接続移動通信システムでマルチキャストマルチメディア放送サービスを受信している移動端末に対するソフトハンドオーバ装置及び方法を提供することにある。
【０００８】
本発明の他の目的は、移動端末が共通パイロットチャネル、またはマルチキャストマルチメディア放送サービスデータの測定を通じてソフトコンバイン遂行可否を自ら決定するようにする装置及び方法を提供することにある。
【課題を解決するための手段】
【０００９】
上述したような目的を達成するための本発明の第１見地において、マルチキャストマルチメディア放送サービス（ＭＢＭＳサービス）に従うマルチキャストマルチメディア放送サービスデータ（ＭＢＭＳデータ）を提供する第１基地局と、前記第１基地局から前記マルチキャストマルチメディア放送サービスデータを受信する移動端末と、前記第１基地局に隣接した周辺基地局と、を含む符号分割多重接続移動通信システムで、前記移動端末が前記第１基地局及び前記周辺基地局からのマルチキャストマルチメディア放送サービスデータをソフトコンバインする方法において、前記第１基地局から前記周辺基地局のＭＢＭＳサービス情報を収集する過程と、前記第１基地局から受信される信号の測定値と前記周辺基地局のうち少なくとも一つの周辺基地局から受信される信号の測定値を比較して、前記ソフトコンバインが要求されるかを判断する過程と、前記ソフトコンバインが要求される場合、前記ＭＢＭＳサービス情報により前記ソフトコンバインが要求される周辺基地局からのＭＢＭＳデータを受信し、前記周辺基地局からのＭＢＭＳデータと前記第１基地局からのＭＢＭＳデータとのソフトコンバインを遂行する過程と、を含むことを特徴とする。
【００１０】
上述したような目的を達成するための本発明の第２見地において、マルチキャストマルチメディア放送サービス（ＭＢＭＳサービス）に従うマルチキャストマルチメディア放送サービスデータ（ＭＢＭＳデータ）を提供する第１基地局と、前記第１基地局から前記ＭＢＭＳデータを受信する移動端末と、前記第１基地局に隣接した周辺基地局と、を含む非同期方式の符号分割多重接続移動通信システムで、前記移動端末が前記第１基地局からのＭＢＭＳデータと前記周辺基地局からのＭＢＭＳデータとのソフトコンバインを決定する装置において、前記第１基地局及び前記少なくとも一つの周辺基地局からの信号を受信し、前記信号それぞれに対応した測定値を出力するサーチャーと、前記第１基地局から前記周辺基地局のＭＢＭＳ関連情報を収集し、前記ソフトコンバインが要求される場合、前記第１基地局からのＭＢＭＳデータと前記コンバインが要求される少なくとも一つの周辺基地局からのＭＢＭＳデータを受信するフィンガーを割り当てる制御部と、を含み、ここで、前記周辺基地局に対応して割り当てられたフィンガーが前記ＭＢＭＳ情報により前記周辺基地局からのＭＢＭＳデータを受信し、前記受信したＭＢＭＳデータを前記第１基地局に対応して割り当てられたフィンガーにより受信されたＭＢＭＳデータとソフトコンバインを遂行することを特徴とする。
【００１１】
上述したような目的を達成するための本発明の第３見地において、マルチキャストマルチメディア放送サービス（ＭＢＭＳサービス）に従うマルチキャストマルチメディア放送サービスデータ（ＭＢＭＳデータ）を提供する第１基地局と、前記第１基地局から前記マルチキャストマルチメディア放送サービスデータを受信する移動端末と、前記第１基地局に隣接した周辺基地局と、を含む非同期方式の符号分割多重接続移動通信システムで、前記移動端末が前記第１基地局及び前記周辺基地局からのマルチキャストマルチメディア放送サービスデータをソフトコンバインする方法において、前記第１基地局から受信される信号の測定値と前記周辺基地局のうち少なくとも一つの周辺基地局から受信される信号の測定値を比較して、前記ソフトコンバインが要求されるかを判断する過程と、前記ソフトコンバインが要求される場合、前記ソフトコンバインが要求される周辺基地局からＭＢＭＳサービス関連情報を収集し、前記ＭＢＭＳサービス関連情報により前記周辺基地局からのＭＢＭＳデータを受信する過程と、前記受信したＭＢＭＳデータと前記第１基地局からのＭＢＭＳデータとのソフトコンバインを遂行する過程と、を含むことを特徴とする。
【００１２】
上述したような目的を達成するための本発明の第４見地において、マルチキャストマルチメディア放送サービス（ＭＢＭＳサービス）に従うマルチキャストマルチメディア放送サービスデータ（ＭＢＭＳデータ）を提供する第１基地局と、前記第１基地局から前記ＭＢＭＳデータを受信する移動端末と、前記第１基地局に隣接した周辺基地局と、を含む非同期方式の符号分割多重接続移動通信システムで、前記移動端末が前記第１基地局からのＭＢＭＳデータと前記周辺基地局からのＭＢＭＳデータとのソフトコンバインを決定する装置において、前記第１基地局及び前記少なくとも一つの周辺基地局からの信号を受信し、前記信号それぞれに対応した測定値を出力するサーチャーと、前記サーチャーからの測定値を比較して前記ソフトコンバインが要求される周辺基地局からＭＢＭＳ関連情報を収集し、前記第１基地局からのＭＢＭＳデータと前記コンバインが要求される周辺基地局からのＭＢＭＳデータを受信するフィンガーを割り当てる制御部と、を含み、ここで、前記周辺基地局に対応して割り当てられたフィンガーが前記ＭＢＭＳ関連情報により前記周辺基地局からのＭＢＭＳデータを受信し、前記受信したＭＢＭＳデータと前記第１基地局に対応して割り当てられたフィンガーにより受信されたＭＢＭＳデータとのコンバインを遂行することを特徴とする。
【発明の効果】
【００１３】
本発明はＭＢＭＳサービスを支援する非同期方式の符号分割多重接続移動通信システムで移動端末が複数の基地局からデータ受信が可能な地域へ移動する時、前記移動端末にソフトハンドオーバを提供する。これによって、本発明はＭＢＭＳ使用者が既存のセルから新たなセルに移動しても、安定的なＭＢＭＳサービスが提供されることにより使用者の便宜を増大させる効果がある。また、移動端末がハンドオーバ領域に位置する場合、複数の基地局から受信されるデータを自らソフトコンバインできるようにすることにより、基地局の送信電力を節減できるようになり、より効率的な電力使用が可能になる効果を有する。
【発明を実施するための最良の形態】
【００１４】
以下、本発明に従う好適な実施形態について図を参照しつつ詳細に説明する。下記の説明において、本発明の要旨のみを明瞭にする目的で、関連した公知機能又は構成に関する具体的な説明は省略する。
【００１５】
ＵＥが共通チャネルを通じてＭＢＭＳデータを受信している状況で、前記ＭＢＭＳデータを提供するセル外枠に移動するにつれて隣接セルとのソフトハンドオーバ領域に位置するようになる場合、安定的なＭＢＭＳデータ受信のためにソフトハンドオーバが要求される。前記ソフトハンドオーバのためには複数のセルから受信した同一のＭＢＭＳデータに対するソフトコンバインがＵＥにより基本的に提供されるべきである。従って、本発明では複数個のセルから受信した同一のＭＢＭＳデータをＵＥ自らソフトコンバインするようにすることにより、より効率的なＭＢＭＳサービスが提供されるようにする。下記説明では前記“ソフトハンドオーバ”と前記“ソフトコンバイン”それぞれを“ハンドオーバ”と“コンバイン”と称する。
【００１６】
通常的に非同期方式の移動通信システムでは基地局間の時刻同期は基本的に提供されない。各基地局は多数個のセルを有することができ、各セルはセル当たり進行されるタイマを有するようになるが、その単位をＳＦＮ（Ｓｙｓｔｅｍ  Ｆｒａｍｅ  Ｎｕｍｂｅｒ）と称する。従って、無線網制御器が各基地局に前記ＭＢＭＳサービスによるＭＢＭＳデータを送信する場合、前記基地局間に別の同期化過程が存在しないと、前記基地局それぞれは相異なる時点で前記ＭＢＭＳデータをＵＥに送信するようになる。これはＵＥが新たなセルへ移動する場合にはＵＥがソフトハンドオフ地域で専用チャネルのデータをソフトコンバインすることができたこととは異なり、ソフトコンバインが不可能になる。従ってＭＢＭＳデータを提供するそれぞれのセル間のＭＢＭＳデータ伝送時間差を最小に維持しないと、ＵＥのソフトコンバインを遂行できない。
【００１７】
一つのＲＮＣと二つの基地局からなる非同期方式の移動通信システムを仮定する場合、前記ＲＮＣと各基地局までの伝送遅延時間が異なることができ、二つの基地局が同期を合わせていないので、前記二つの基地局がＵＥに伝送するＭＢＭＳデータは同一の時間にＵＥに到着しない。前記二つの基地局が同一の時点に前記ＭＢＭＳデータを伝送してもＵＥに到着する時間が同一でない。しかし、ＵＥでのソフトコンバインのために、所定時間ウィンドウ内に前記二つの基地局からの同一の信号が到着できるように伝送時間を設定することができる。
【００１８】
前記ＲＮＣからのＭＢＭＳデータは前記基地局に到着する時にＣＦＮ（Ｃｏｎｎｅｃｔｉｏｎ  Ｆｒａｍｅ  Ｎｕｍｂｅｒ）値と共に伝送されることに仮定する。即ち各ＭＢＭＳデータはＣＦＮ値を有するようになり、前記基地局は前記ＭＢＭＳデータを基地局の時間軸であるＳＦＮのある時点に伝送するかを決定すべきである。前記ＣＦＮ値は０と２５５間の値を有し、前記ＳＦＮは０と４０９５間の値を有する。従って、特定ＳＦＮを２５６に分けることにより検出された残り値、即ちＳＦＮをモジュロ演算を遂行することにより得られる結果値（ＳＦＮ  ｍｏｄ  ２５６）をＣＦＮにするＭＢＭＳデータの伝送時点を前記特定ＳＦＮに決定する（ｉ．ｅ．  ＳＦＮ  ｍｏｄ  ２５６と同等のＣＦＮは前述した“所定時点”に該当）。例えば、ＳＦＮが３０７６である時点はＣＦＮが４であるＭＢＭＳデータの伝送時点に決定される。時間同期は非同期方式の移動通信システムで基地局間に提供されない。各基地局は複数のセルを有し、各セルはシステムフレームナンバ（ＳＦＮ：Ｓｙｓｔｅｍ  Ｆｒａｍｅ  Ｎｕｍｂｅｒ）の使用により固有のタイマを有する。従って、各基地局はデータを伝送する時、特別なＳＦＮの決定が必要である。
【００１９】
前記ＲＮＣから受信された特定ＣＦＮを有するＭＢＭＳデータがセル１ではＳＦＮ（Ｎ）で伝送され、セル２ではＳＦＮ（Ｍ）で伝送される状況を仮定することができる（ここで、ＭとＮは別個の値である）。結果的に前記同一なＣＦＮ値を有するＭＢＭＳデータが前記セル１と前記セル２では相異なる時点で伝送されるようになる。前記ＲＮＣで伝送された同一のＣＦＮ値を有するＭＢＭＳデータがセル１とセル２の相異なる時点で伝送されることは、前記ＲＮＣと前記セル間の伝送遅延時間が相異なるので発生することができる。
【００２０】
ＵＥがセル１によるサービス領域とセル２によるサービス領域が重なるハンドオーバ領域に位置し、前記セル１と前記セル２は同一のＭＢＭＳサービスを提供していると仮定する。この場合、前記ＵＥは前記セル１と前記セル２から同一のＭＢＭＳデータを受信するようになる。前記同一のＭＢＭＳデータは同一なＣＦＮを有する。しかし、前記セル１からのＭＢＭＳデータが前記ＵＥに受信される時点と前記セル２からのＭＢＭＳデータが前記ＵＥに受信される時点は相異なるようになる。これは前記セル１の伝送時点と前記セル２の伝送時点で発生する誤差と、前記セル１及び前記セル２それぞれとＵＥ間に発生する伝送遅延による誤差に従うものである。
【００２１】
前記セル１と前記セル２からのＭＢＭＳデータを受信するＵＥの受信時点で、ＵＥは該当ＣＦＮデータのためには、前記セル１から受信したＳＦＮ時点（ＳＦＮ（Ｎ））で受信したデータと前記セル２から受信したＳＦＮ時点（ＳＦＮ（Ｍ））で受信したデータをコンバインできなければならない（ここで、ＭとＮは別個の値）。しかし、前記同一のＣＦＮを受信する時点が異なり、受信する時点の差異が一定範囲（例えば２５６チップ）以上になる場合、コンバインをするために端末機が先ず受信したデータをバッファに貯蔵するのが不可能であることがある。従って、前記ハンドオーバ領域にあるＵＥが受信するデータが一定時間（ウィンドウ）内に入れるようにするために優先的に各基地局から送信する時点を同期化する方法が必要である。
【００２２】
前記各セル間において、同一ＭＢＭＳデータを伝送する時点を同期化し、前記ＵＥが前記同期化され伝送されるＭＢＭＳデータに対してソフトコンバインをするためには、下記のような段階を遂行すべきである。
【００２３】
段階１：一つのＲＮＣ内の基地局に対する時間情報を得るために、ＳＦＮ間観測時間差（ＳＦＮ−ＳＦＮ  ｏｂｓｅｒｖｅｄ  ｔｉｍｅ  ｄｉｆｆｅｒｅｎｃｅ）を測定（ｍｅａｓｕｒｅｍｅｎｔ）し、前記ＳＦＮ間観測時間差（ＳＦＮ−ＳＦＮ  ｏｂｓｅｒｖｅｄ  ｔｉｍｅ  ｄｉｆｆｅｒｅｎｃｅ）を前記ＲＮＣへ伝達。
段階２：ＲＮＣが前記段階１で収集した情報（ＳＦＮ間観測時間差）を利用して各基地局の時間関係を把握し、各基地局に必要なＭＢＭＳオフセットを決定。
段階３：前記段階２で決定されたＭＢＭＳオフセットを該当基地局と該当ＵＥへ伝達。
段階４：ＭＢＭＳデータの伝送前に、段階３で決定されたＭＢＭＳオフセットに合うように基地局が伝送できるように予めデータを伝送してＲＮＣと基地局間の時間関係を決定（使用者段階同期化（Ｕｓｅｒ  ｐｌａｎｅ  ｓｙｎｃｈｒｏｎｉｚａｔｉｏｎ））
段階５：段階４により設定された時間関係に応じてＭＢＭＳデータを伝送。
上述した５段階を通じた各基地局間の同期化手続きは、大韓民国特許庁に出願されており、これに対する出願番号としてＰ２００２−２３２８３が付与された。
【００２４】
＜第１実施形態＞
後述の本発明ではソフトハンドオーバが要求される場合、ＵＥ自らソフトコンバインを遂行するようにするものである。このために、ＵＥは周辺セルで提供しているＭＢＭＳサービス情報を要求する。従って、無線網制御器（Ｒａｄｉｏ  Ｎｅｔｗｏｒｋ  Ｃｏｎｔｒｏｌｌｅｒ、以下、ＲＮＣ）は前記ＵＥの周辺セルに対するコード情報と時間情報などを含む情報を現在ＭＢＭＳサービスを提供しているセルを通じてＵＥに知らせる。これを達成するために、ＭＢＭＳソフトコンバインのための基地局、ＲＮＣ及びＵＥ間のシグナリング処理手続きは三つに大別することができる。
【００２５】
一番目、無線ベアラー設定（ＲＡＤＩＯ  ＢＥＡＲＥＲ  ＳＥＴＵＰ）過程であり、これはＭＢＭＳデータを受信していないＵＥが最初ＭＢＭＳデータを受信するまでのシグナリング手続きを示す。
【００２６】
二番目、無線ベアラー再設定（ＲＡＤＩＯ  ＢＥＡＲＥＲ  ＲＥＣＯＮＦＩＧＵＲＡＴＩＯＮ）過程であり、これはＵＥが移動しない状態で周辺環境が変化する場合のシグナリング手続きを示す。即ち、現在セルを含んでＭＢＭＳを提供する周辺セルの情報が変わって、新たな無線ベアラーを設定すべき場合を示す。
【００２７】
三番目、セル更新（ｕｐｄａｔｅ）過程であり、これはＵＥの移動により周辺環境が変化する場合のシグナリング手続きを示す。即ち、ＵＥの移動により周辺セルの情報が変わってセル更新をすべき場合を示す。
【００２８】
前記三つのシグナリング手続きで共通的にＲＮＣは本発明ではＵＥ自体的なＭＢＭＳデータのソフトコンバインを遂行するために現在ＵＥが属したセル全体にかけて隣接セルに対する下記＜表１＞の情報を提供するようにする。下記＜表１＞で‘情報１’は前記ＵＥの周辺セルのうちで、前記ＵＥがＭＢＭＳサービスを受信している現在セルと同一のＭＢＭＳサービスを提供しているセルに対するＩＤ情報を示す。この値から前記ＵＥは周辺セルのうちで現在セルと同一のＭＢＭＳサービスを提供するセルを探索するようになる。‘情報２’は前記‘情報１’に該当する周辺セルのＭＢＭＳコード情報として、スクランブリングコード（ｓｃｒａｍｂｌｉｎｇ  ｃｏｄｅ）とチャネル化コード（ｃｈａｎｎｅｌｉｚａｔｉｏｎ  ｃｏｄｅ）を示す。従って前記ＵＥがソフトコンバインを遂行する場合、各経路別信号を正確に逆拡散（ｄｅｓｐｒｅａｄｉｎｇ）することができる。‘情報３’はＭＢＭＳサービスを提供する隣接セルのサービスＩＤ情報として、ＭＢＭＳサービスの種類（ｔｙｐｅ）を示す。前記情報３の場合、隣接セルで提供されるＭＢＭＳサービスの種類に対する情報であるので、ハンドオーバ時、あるいはソフトコンバインをしながら移動する隣接セルが現在受信しているＭＢＭＳサービスと同一のサービスが既に提供されていると、ソフトコンバインを遂行することができる。もし、移動する隣接セルで現在提供されているＭＢＭＳサービスと同一のＭＢＭＳサービスが遂行されていないと、コンバインしないこともでき、それともそのセルが同一のＭＢＭＳサービスを開始するように要請することもできる。‘情報４’は前記‘情報１’に該当する周辺セルのＭＢＭＳデータの伝送フレーム開始点とＣＰＩＣＨフレーム開始点間の時間差を示す情報を含み、前記値から前記ＵＥは各経路別に相異なる時間に受信される同一シンボルに対するソフトコンバインが可能になる。
【００２９】
【表１】
2004166209.tif 000003
【００３０】
以下、添付図を参照して本発明の実施形態による動作を詳細に説明する。本発明の実施形態による動作説明において、一つの基地局は一つのセルを支援すると仮定する。
【００３１】
図１は前記三つのシグナリング手続きのうちで、無線ベアラー設定（ＲＡＤＩＯ  ＢＥＡＲＥＲ  ＳＥＴＵＰ）のためのシグナリング処理手続きを示す図であり、ＭＢＭＳデータ伝送の初期過程を示す。
【００３２】
前記図１を参照すると、ＲＮＣは１０１段階で前記無線ベアラー設定を要求する無線ベアラー設定ＲＲＣメッセージをＵＥに伝送する。前記無線ベアラー設定ＲＲＣメッセージは前記ＲＮＣのＲＲＣと前記ＵＥのＲＲＣ間のメッセージタイプである。前記無線ベアラー設定ＲＲＣメッセージを通じては現在ＭＢＭＳを提供しているセルのＭＢＭＳコード情報、サービス情報、ＭＢＭＳタイムオフセット（ｔｉｍｅ  ｏｆｆｓｅｔ）情報などが提供される。従って、前記ＵＥがＭＢＭＳデータを受信できるようにする。前記ＭＢＭＳコード情報は前記ＭＢＭＳデータを伝送するコード情報として、スクランブリングコード（Ｓｃｒａｍｂｌｉｎｇ  ｃｏｄｅ）情報とチャネル化コード（Ｃｈａｎｎｅｌｉｚａｔｉｏｎ  ｃｏｄｅ）情報を示す。前記ＭＢＭＳコード情報は前記ＵＥが現在セルのＭＢＭＳデータに対する逆拡散（ｄｅｓｐｒｅａｄｉｎｇ）を遂行できるようにする。前記サービス情報は前記ＭＢＭＳデータが含まれたサービスに対する情報として、サービスＩＤ形式に提供されることができる。前記ＵＥは前記サービスＩＤを利用して相異なるサービスを区分することができる。前記ＭＢＭＳタイムオフセット（ｔｉｍｅ  ｏｆｆｓｅｔ）情報は前記ＭＢＭＳデータを伝送するチャネルの時間情報として、前記ＭＢＭＳデータ伝送のフレーム開始点とＣＰＩＣＨフレーム開始点間の差異を示す情報である。従って、前記＜表１＞の‘情報４’のように、ソフトコンバイン時、前記ＵＥは各経路別に相異なる時間に受信される同一シンボルに対するソフトコンバインが可能になる。
【００３３】
この時、既存専用チャネルでのソフトハンドオーバ過程とは異なり、ＵＥ自らＭＢＭＳサービスに従うソフトハンドオーバを遂行できるようにするために、前記ＵＥの周辺セルに対する前記＜表１＞の情報が前記無線ベアラー設定ＲＲＣメッセージを通じて前記ＵＥに提供される。
【００３４】
前記ＵＥは前記ＲＮＣから提供された情報に基づいて無線ベアラー（ＲＡＤＩＯ  ＢＥＡＲＥＲ）設定を完了した後、１０２段階で無線ベアラーセットアップ完了を報告する無線ベアラー設定完了ＲＲＣメッセージ（Ｒａｄｉｏ  Ｂｅａｒｅｒ  Ｓｅｔｕｐ  Ｃｏｍｐｌｅｔｅ  ＲＲＣ  Ｍｅｓｓａｇｅ）を前記ＲＮＣに伝送することにより、前記無線ベアラー（ＲＡＤＩＯ  ＢＥＡＲＥＲ）設定過程を終了する。
【００３５】
前記無線ベアラー（ＲＡＤＩＯ  ＢＥＡＲＥＲ）設定作業を通じて前記ＵＥは基地局から所望するＭＢＭＳデータを受信できるようになる。前記ＵＥが前記所望するＭＢＭＳデータを受信している間、ハンドオーバ領域へ移動するようになると、前記ＵＥは既に知っている前記隣接セルの情報により現在セルと隣接セルからのＭＢＭＳデータをソフトコンバインすることができる。
【００３６】
図２は無線ベアラー（ＲＡＤＩＯ  ＢＥＡＲＥＲ）再設定過程のためのシグナリング手続きを示す図である。前記再設定過程は初期設定された無線ベアラー（ＲＡＤＩＯ  ＢＥＡＲＥＲ）を変更する過程であり、既存に設定しておいた情報を変更するか、アクティブセット（ａｃｔｉｖｅ  ｓｅｔ）に新規セルを追加するか、または既存セルを削除する更新（ｕｐｄａｔｅ）過程が遂行される。
【００３７】
前記無線ベアラー（ＲＡＤＩＯ  ＢＥＡＲＥＲ）再設定過程は、ＵＥが移動しない状態で次のように現在セル、または周辺セルの情報が変更される時に遂行される。
１．現在（該当）セルでの情報変更時
現在セルでの前記ＭＢＭＳコード情報、サービス情報、ＭＢＭＳタイムオフセット（ｔｉｍｅ  ｏｆｆｓｅｔ）情報などが変更される場合に該当する。
２．隣接セルの情報変更時
Ａ．隣接セルの追加、または削除
同一のＭＢＭＳサービスを提供する隣接セルが追加されるか、削除される場合として該当セルのセルＩＤ情報が提供されることができる。
Ｂ．既存の隣接セル情報の変更
前記１の場合のように、現在セルと同一のＭＢＭＳデータを伝送している隣接セルでの情報が変更される場合として、前記ＭＢＭＳコード情報、サービス情報、ＭＢＭＳタイムオフセット（ｔｉｍｅ  ｏｆｆｓｅｔ）情報などが変更される場合に該当される。
【００３８】
前記無線ベアラー（ＲＡＤＩＯ  ＢＥＡＲＥＲ）再設定のためのＵＥとＲＮＣ間のシグナリング手続きは、上述した無線ベアラー（ＲＡＤＩＯ  ＢＥＡＲＥＲ）設定のためのシグナリング手続きと類似である。ただ、前記無線ベアラー（ＲＡＤＩＯ  ＢＥＡＲＥＲ）設定は初期ＭＢＭＳデータの受信のためのシグナリング手続きであることに対して、前記無線ベアラー（ＲＡＤＩＯ  ＢＥＡＲＥＲ）再設定は既にＭＢＭＳデータを受信している状況でＵＥ周辺の環境が変わって、既存の設定を変更する必要がある場合のシグナリング手続きである。
【００３９】
前記図２を参照すると、ＲＮＣは２０１段階で無線ベアラー再設定ＲＲＣメッセージをＵＥに提供することにより、変更された無線ベアラー（ＲＡＤＩＯ  ＢＥＡＲＥＲ）設定作業を遂行するようにする。この時、前記ＲＮＣは前記ＵＥに前記無線ベアラー（ＲＡＤＩＯ  ＢＥＡＲＥＲ）設定過程でのように前記無線ベアラー再設定ＲＲＣメッセージを通じて現在ＭＢＭＳを提供しているセルでの変更されたＭＢＭＳコード情報、サービス情報、ＭＢＭＳタイムオフセット（ｔｉｍｅ  ｏｆｆｓｅｔ）情報などを提供する。また、前記ＲＮＣは前記ＵＥ自ら現在ＭＢＭＳサービスのソフトハンドオーバを遂行できるようにするために、隣接セルに対する前記＜表１＞の情報も提供する。前記ＲＮＣから提供される情報により前記ＵＥは前記無線ベアラー（ＲＡＤＩＯ  ＢＥＡＲＥＲ）再設定作業を遂行し、２０２段階で無線ベアラーの再設定が遂行されたことを報告する無線ベアラー再設定完了ＲＲＣメッセージ（Ｒａｄｉｏ  Ｂｅａｒｅｒ  Ｒｅｃｏｎｆｉｇｕｒａｔｉｏｎ  Ｃｏｍｐｌｅｔｅ  ＲＲＣ  Ｍｅｓｓａｇｅ）を前記ＲＮＣに伝送することにより、前記無線ベアラー（ＲＡＤＩＯ  ＢＥＡＲＥＲ）再設定を完了する。
【００４０】
前記無線ベアラー（ＲＡＤＩＯ  ＢＥＡＲＥＲ）設定、または再設定を通じて、前記ＵＥは周辺セルのうち、現在セルと同一のＭＢＭＳサービスを提供するすべてのセルに対する情報を常に知っているようになる。従って、前記ＵＥがハンドオーバ領域に位置すると、前記ＵＥ自らソフトコンバインを遂行できるようになる。
【００４１】
図３はセル更新（ｕｐｄａｔｅ）過程のためのシグナリング手続きを示している図である。前記セル更新（ｕｐｄａｔｅ）過程は、ＵＥの移動により周辺環境が変化する場合に遂行されるＲＮＣとＵＥ間のシグナリング手続きである。前記セル更新過程は前記ＵＥが既存のセルから隣接セルに移動してセル更新（ｕｐｄａｔｅ）領域に入るようになると、前記ＵＥにより実施するようになる。前記セル更新（ｕｐｄａｔｅ）領域はハンドオーバ領域のように、セル境界部分に存在し、前記ハンドオーバ領域よりは小さい規模に前記ハンドオーバ領域に含まれる関係にある。即ち、前記無線ベアラー（ＲＡＤＩＯ  ＢＥＡＲＥＲ）設定／再設定過程を通じて前記ＵＥはハンドオーバ領域でソフトコンバインを遂行できるようになる。この時、前記ＵＥがセル更新（ｕｐｄａｔｅ）領域に進入するようになると、セル更新（ｕｐｄａｔｅ）を実施するようになる。この場合、前記ＵＥは前記図３の３０１段階でＲＮＣにセル更新（Ｃｅｌｌ  Ｕｐｄａｔｅ）ＲＲＣメッセージを伝送することにより、セル更新（ｕｐｄａｔｅ）過程を開始する。
【００４２】
前記セル更新（ｕｐｄａｔｅ）を実施する場合、ターゲット（ｔａｒｇｅｔ）セル、即ち前記ＵＥがセル更新（ｕｐｄａｔｅ）メッセージを伝送するセルを二つの場合に区分することができる。
【００４３】
一番目の場合は、前記ターゲット（ｔａｒｇｅｔ）セルが既にＭＢＭＳデータを伝送し、前記セル更新（ｕｐｄａｔｅ）過程以前に既にハンドオーバ領域で前記ＵＥがＭＢＭＳデータを受信している場合である。この場合、前記ＲＮＣは該当ＵＥからセル更新（ｕｐｄａｔｅ）ＲＲＣメッセージを受信するようになると、前記ターゲット（ｔａｒｇｅｔ）セルを現在のＭＢＭＳサービスを提供するセルに更新（ｕｐｄａｔｅ）し、既存にＭＢＭＳサービスを提供していたセルは隣接セルに更新（ｕｐｄａｔｅ）する。また、前記ターゲット（ｔａｒｇｅｔ）セル周辺の隣接セルのうちで、前記ターゲット（ｔａｒｇｅｔ）セルと同一のＭＢＭＳサービスを提供するセルに対する情報を更新（ｕｐｄａｔｅ）する。従って前記無線ベアラー（ＲＡＤＩＯ  ＢＥＡＲＥＲ）設定／再設定過程で前記ＲＮＣが前記ＵＥに提供していたことと同一のメッセージが前記ＵＥに伝送される。このメッセージの伝送は前記図３の３０２段階で最終的にセル更新確認（ＣＥＬＬ  ＵＰＤＡＴＥ  ＣＯＮＦＩＲＭ）ＲＲＣメッセージを通じて遂行される。この場合にも前記ＵＥがまだハンドオーバ領域内に位置するので、ソフトコンバインを続けて遂行する。
【００４４】
二番目の場合は、前記ターゲット（ｔａｒｇｅｔ）セルが以前にＭＢＭＳデータを伝送していなく、前記ＵＥがハンドオーバ領域に進入した時、前記ターゲット（ｔａｒｇｅｔ）セルからＭＢＭＳデータが受信されない場合である。前記ＵＥがハンドオーバ領域内のセル更新（ｕｐｄａｔｅ）領域に進入するようになると、前述したセル更新（ｕｐｄａｔｅ）過程が実施される。この時、前記ＲＮＣは前記ＵＥからセル更新（ｕｐｄａｔｅ）メッセージを受信して前記ターゲット（ｔａｒｇｅｔ）セルが現在前記ＵＥの受信しているＭＢＭＳデータを伝送することができるようにする。即ち、前記図１で示している前記無線ベアラー（ＲＡＤＩＯ  ＢＥＡＲＥＲ）設定過程と同一のシグナリング手続きが遂行されるようになる。既存に前記ＵＥにＭＢＭＳサービスを提供していたセルは隣接セルに更新（ｕｐｄａｔｅ）し、前記ターゲット（ｔａｒｇｅｔ）セル周辺の隣接セルのうちで前記ターゲット（ｔａｒｇｅｔ）セルと同一のＭＢＭＳサービスを提供するセルに対する情報を更新（ｕｐｄａｔｅ）する。このような更新（ｕｐｄａｔｅ）は前記ＲＮＣが前記図３の３０２段階でセル更新確認（ＣＥＬＬ  ＵＰＤＡＴＥ  ＣＯＮＦＩＲＭ）ＲＲＣメッセージを前記ＵＥに伝送することにより完了するようになる。前述したセル更新（ｕｐｄａｔｅ）過程中でも、前記ＵＥは既存のセルから続けてＭＢＭＳデータを受信するようになり、セル更新（ｕｐｄａｔｅ）以後には前記ターゲット（ｔａｒｇｅｔ）セルからも前記ＭＢＭＳデータを受信するようになり、ソフトコンバインを遂行することができる。
【００４５】
図４は本発明の実施形態に従うＭＢＭＳソフトコンバインのためのＵＥ受信器の構造を示している。
【００４６】
前記図４を参照して本発明のＭＢＭＳサービスに従うソフトコンバインの全体流れを説明すると、基地局からの受信信号はアナログ受信器４１０に提供される。前記アナログ受信器４１０は前記受信信号をディジタル信号に変換する。前記アナログ受信器４１０から変換されたディジタル信号はサーチャー４２０と、ｋ個のフィンガー４４０、４５０のうち前記サーチャー４２０により割り当てられたフィンガーに入力される。
【００４７】
一方、制御部４３０はＲＮＣから隣接セルの情報を受信してどのセルが現在ＭＢＭＳサービスと同一のＭＢＭＳサービスを提供するかを知っている。従って、ＭＢＭＳデータのソフトコンバインのために前記制御部４３０は周辺セルのうちで同一ＭＢＭＳサービスを提供するセルを探索するように前記サーチャー（ｓｅａｒｃｈｅｒ）４２０を制御する。
【００４８】
前記サーチャー４２０は前記アナログ受信器４１０を通じて受信する多重経路信号それぞれのＣＰＩＣＨ値を測定するようになる。この時、前記測定された値はＣＰＩＣＨ  ＲＳＣＰ（Ｒｅｃｅｉｖｅｄ  Ｓｉｇｎａｌ  Ｃｏｄｅ  Ｐｏｗｅｒ）、またはＣＰＩＣＨ  Ｅｃ／Ｎｏ（ｓｉｇｎａｌ  ｔｏ  ｎｏｉｓｅ）値として該当信号の受信強さをモニタリングするようになる。前記サーチャー４２０はこのように測定したパラメータ値を前記制御部４３０に伝達する。
【００４９】
前記制御部４３０は前記サーチャー４２０からの各信号成分別ＣＰＩＣＨパラメータ値から前記サーチャー４２０が適切なフィンガー割り当てを遂行するように制御する。即ち、各ＣＰＩＣＨパラメータ値を大きさ順に整列して前記サーチャー４２０にフィンガー割り当てを命令するようになる。
【００５０】
前記サーチャー４２０は前記制御部４３０からフィンガー割り当て命令を受信するようになる。前記サーチャー４２０は前記制御部４３０の命令に応じて各フィンガー別に信号を割り当てるようになる。この時、前記サーチャー４２０はコンバイナ４６０がコンバインを遂行できるように各フィンガー別にタイミング情報とセル情報（ｓｃｒａｍｂｌｉｎｇ  ｃｏｄｅ、ｃｈａｎｎｅｌｉｚａｔｉｏｎ  ｃｏｄｅ）を提供する。
【００５１】
例えば、現在ＭＢＭＳデータを受信しているＵＥがハンドオーバ可能な地域へ移動する場合が発生することができる。即ち、特定セルＡから隣接セルＢへ移動する場合を仮定することができる。この時、前記セルＢはＭＢＭＳサービスを提供している基地局である。この場合、前記サーチャー４２０が受信する信号は、前記セルＡの多重経路信号と前記セルＢの多重経路信号をすべて含む。従って、前記サーチャー４２０は前記セルＡと前記セルＢからのすべての多重経路信号のＣＰＩＣＨ値を測定して前記制御部４３０に伝達する。
【００５２】
一方、前記制御部４３０は前記サーチャー４２０が提供した前記セルＢの多重経路信号成分の測定パラメータ値を合算し、その値を現在連結されている前記セルＡの多重経路信号成分の測定パラメータ値の合算値と比較して、次の二つ条件のうちいずれか一つでも満足するかを判断する。一番目の条件は、前記セルＢの多重経路信号成分の測定パラメータ値の合算値が前記セルＡの多重経路信号成分の測定パラメータ値の合算値より定められた基準値（ｔｈｒｅｓｈｏｌｄ）以上大きいと判断する場合である。二番目の条件は、前記セルＡと前記セルＢの信号強さの差異が定められたヒステリシス値以内である場合である。
【００５３】
前記制御部４３０は前記二つの条件のうち、いずれか一つの条件を満足するようになると、上述した無線ベアラー設定／再設定過程により獲得した周辺セル情報から前記セルＢのＭＢＭＳサービス提供可否を確認して前記セルＡと同一のＭＢＭＳサービスを提供するかを判断する。
【００５４】
前記二つの条件以外に前記制御部４３０は前記セルＢの多重経路信号成分の測定パラメータ値の合算値が所定基準値より大きい場合、前記セルＢと前記セルＡが同一のＭＢＭＳサービスを提供するかを判断するように具現することもできる。この場合、前記所定基準値は前記一番目の条件での基準値とは異なる意味を有する。即ち、前記一番目の条件での基準値は前記セルＢを通じた測定値と前記セルＡを通じた測定値の誤差値に対応するが、前記追加された例での基準値は前記セルＢを通じた測定値に対応する。従って、前記二つの基準値を比較する場合、追加された例での基準値が前記一番目の条件での基準値よりは大きな値に設定されるべきである。
【００５５】
一方、前記セルＢが前記セルＡと同一のＭＢＭＳサービスを提供していると判定されると、前記制御部４３０は前記セルＡと前記セルＢからのＭＢＭＳデータをソフトコンバインすることを決定する。このために、前記制御部４３０は前記セルＡと前記セルＢの多重経路ＭＢＭＳ信号成分が大きさ順にフィンガーに割り当てられるように前記サーチャー４２０を制御する。一般的にフィンガー割り当ては受信信号の強さが大きな手順通り遂行される。従って、前記ソフトコンバインをするために前記条件を満足する経路のうち、少なくとも前記セルＡと前記セルＢで受信された多重経路成分のうちにそれぞれ一つ以上は必ずフィンガーに割り当てられるべきである。前記サーチャー４２０は各信号成分をフィンガーに割り当てる場合には最終的にコンバインができるようにするために、各信号成分間のタイミング情報（ｆｒａｍｅ  ｏｆｆｓｅｔ）とセル情報（ｓｃｒａｍｂｌｉｎｇ  ｃｏｄｅ、ｃｈａｎｎｅｌｉｚａｔｉｏｎ  ｃｏｄｅ）を提供する。また、前記ＵＥが受信した各セルの経路間のＭＢＭＳ信号のフレームオフセットは、各セルの経路別ＣＰＩＣＨ信号のオフセット値とは異なることができる。従って、前記制御部４３０は前記サーチャー４２０のフィンガー割り当て時、各ＭＢＭＳ信号のフレームオフセット値を該当フィンガーに知らせる。
【００５６】
一方、前記セルＢが同一のＭＢＭＳサービスを提供していない場合には前記条件を満足するとしても、前記ソフトコンバインの遂行は不可能になる。従って、この時のフィンガー割り当ては既存に前記ＭＢＭＳサービスを提供していた前記セルＡの多重経路信号成分のみに対して遂行される。しかし、前記セルＢが前記セルＡとは異なるＭＢＭＳデータを伝送している場合、前記ＵＥは前記ＲＮＣに前記セルＡでの同一なＭＢＭＳデータの伝送を要求することができ、その結果、ＭＢＭＳデータのソフトコンバインが可能になる。
【００５７】
現在、前記ＵＥが前記セルＡの領域のみに位置しているか、前記ソフトコンバイン条件を満足しないので、ソフトハンドオーバをしていない場合には、各フィンガーに割り当てられるＭＢＭＳ信号成分は前記セルＡの多重経路信号成分になる。
【００５８】
上述した二つの条件では受信ＣＰＩＣＨ信号のＣＰＩＣＨ  ＲＳＣＰ、またはＣＰＩＣＨＥｃ／Ｎｏが良好な場合のみを仮定している。しかし、受信ＣＰＩＣＨ信号のＣＰＩＣＨ  ＲＳＣＰ、またはＣＰＩＣＨ  Ｅｃ／Ｎｏｏが良好でない場合にも実際ＭＢＭＳデータ信号はそうでない場合が発生することができる。このような場合、ＣＰＩＣＨ信号のみにソフトコンバインを判定するようになると、ソフトコンバインの機会を失うようになる。従って、このような状況を防止するために前記制御部４３０は前記ＣＰＩＣＨだけではなくＭＢＭＳデータ信号もソフトコンバインの基準にすることができる。
【００５９】
上述した手続きによりＭＢＭＳデータ信号をフィンガーに割り当てることに決定されると、前記制御部４３０は前記ＲＮＣから受信されたＭＢＭＳオフセット値を該当フィンガーに知らせることによりコンバイナ４６０が各信号成分を結合できるようにする。
【００６０】
ここで、ＭＢＭＳデータ信号の任意の多重経路成分を復調するブロックを‘フィンガー’と称し、前記フィンガーはデスクランブラ、逆拡散器、ＭＢＭＳデータ復調部及びチャネル推定器で構成される。前記図４ではｋ個のフィンガー４４０、４５０を示している。後述される説明ではｋ個のすべてのフィンガーが割り当てられたことに仮定して説明する。
【００６１】
前記アナログ受信器４１０からのディジタル信号は前記ｋ個のフィンガー４４０、４５０それぞれのデスクランブラ４４２、４５２に提供される。前記ｋ個のデスクランブラ４４２、４５２それぞれは、前記変換されたディジタル信号と前記基地局を区分するためのスクランブリングコードをかけることにより、デスクランブリングされた信号を出力する。前記スクランブリングコードは前記制御部４３０の命令により前記サーチャー４２０からセル情報として提供される。前記制御部４３０は前記スクランブリングコードを前述した無線ベアラー設定過程、または無線ベアラー再設定過程を通じて既に知っている。
【００６２】
前記ｋ個のデスクランブラ４４２、４５２それぞれから出力されるＭＢＭＳデータは、対応するｋ個の逆拡散器４４６、４５６に提供される。前記ｋ個の逆拡散器４４６、４５６は前記ＭＢＭＳデータを前記サーチャー４２０から提供されるチャネル化コードにより逆拡散され出力される。前記ｋ個の逆拡散器４４６、４５６それぞれから逆拡散され出力されるＭＢＭＳデータは、対応するｋ個のＭＢＭＳデータ復調部４４８、４５８に入力される。
【００６３】
また、前記ｋ個のＭＢＭＳデータ復調部４４８、４５８それぞれには、対応するチャネル推定器４４４、４５４からのチャネル推定値が提供される。前記ｋ個のチャネル推定器４４４、４４５は前記ｋ個のデスクランブラ４４２、４５２からの出力を入力にしてそれぞれのチャネル推定値を出力する。
【００６４】
従って、前記ｋ個のＭＢＭＳデータ復調部４４８、４５８それぞれは対応するチャネル推定器４４４、４５４からのチャネル推定値を利用して前記逆拡散器４４６、４５６からの入力に対するチャネル補償を遂行することにより、各経路別には進入するＭＢＭＳデータ信号を抽出するようになる。ここで、各経路別に進入されるＭＢＭＳデータ信号はソフトハンドオーバ状況では多数のセルで伝送したＭＢＭＳ多重経路信号になることができる。そうでない場合は現在該当セル一つが伝送するＭＢＭＳ多重経路成分の信号になる。
【００６５】
前記ｋ個のＭＢＭＳデータ復調部４４８、４５８から出力されるＭＢＭＳ多重経路成分の信号は、前記コンバイナ４６０に提供される。前記コンバイナ４６０は前記ＭＢＭＳデータ復調部４４８、４５８、即ち各フィンガー４４０、４５０から提供されるＭＢＭＳ多重経路成分の信号を結合して一つの信号としてチャネルデコーダ４７０に提供する。
【００６６】
前記コンバイナ４６０の動作をより具体的に説明すると、各フィンガーに割り当てられたＭＢＭＳデータ信号はバッファに貯蔵されコンバイナ４６０で結合される。この時、上述したように各セル間において同一ＭＢＭＳデータを伝送する時点を同期化してその時間差が数百チップ以内に制限されるようにすることにより、前記コンバイナ４６０により各信号成分の結合が可能になる。
【００６７】
前記コンバイナ４６０は前記制御部４３０によりすべてのフィンガーに割り当てられたＭＢＭＳ信号のフレームオフセット値を知っているので、前記バッファに貯蔵されているＭＢＭＳデータ信号から各信号間フレームオフセット値を考慮してコンバインを遂行するようになる。即ち、最も速い受信タイミングを有するＭＢＭＳデータ信号が割り当てられたフィンガーを基準に、各フィンガー別に割り当てられた該当セルの相対的なフレームオフセット値を適用して基準フィンガーのタイミングと一致させることにより、相異なるフィンガーから同一シンボル間の結合を遂行できるようにする。これは既に前記ＲＮＣと前記ＵＥ間にＭＢＭＳオフセット情報を無線ベアラー設定／再設定過程を通じて知っているので可能である。このように結合されたＭＢＭＳ多重経路信号はチャネルデコーダ４７０を経て最終的なＭＢＭＳ信号に復元されるようになる。
【００６８】
以下、本発明の実施形態に従うＭＢＭＳソフトハンドオーバ手続きを前記各過程別に具体的な実施形態と図を利用して詳細に説明する。後述される詳細な説明でＵＥが２以上のセルから同時にＭＢＭＳデータを受信することができるハンドオーバ領域に位置する場合を仮定する。
【００６９】
図５は本発明の実施形態に従うソフトコンバインの実施形態を示す。
【００７０】
前記図５を参照すると、時間軸５０１でＴ１以前時点までＵＥはＣＰＩＣＨ１  ５０３のセル１からＭＢＭＳデータを受信する。前記Ｔ１時点でセル２からのＣＰＩＣＨ２  ５０４の測定値が前記ＣＰＩＣＨ１  ５０３の測定値に対応したヒステリシス５０６値以内に進入するようになると、前記ＵＥはソフトコンバインを準備しながらタイマを設定する。前記設定されたタイマがＴ時間後に終了するＴ２時点で前記ＣＰＩＣＨ１  ５０３と前記ＣＰＩＣＨ２  ５０４の測定値の差異が前記Ｔ１時点でのヒステリシス５０６値から外れないので、前記ＵＥはセル１と前記セル２から受信するＭＢＭＳデータをソフトコンバインする。以後、Ｔ３時点で前記ＣＰＩＣＨ１  ５０３とＣＰＩＣＨ３  ５０５の測定値の差異がヒステリシス５０７値だけの差異を表すので、前記ＵＥはタイマを設定する。この時、設定されたタイマがＴ時間後に終了するＴ４時点で前記ＣＰＩＣＨ１  ５０３と前記ＣＰＩＣＨ３  ５０５の測定値の差異を確認する。前記差異値が前記ヒステリシス５０７値から外れないので、セル３から受信するＭＢＭＳデータに対するソフトコンバインを実施する。従って、前記Ｔ４時点以後、前記ＵＥは前記セル１、前記セル２、前記セル３からのＭＢＭＳデータをすべてソフトコンバインするようになる。Ｔ５時点で前記ＣＰＩＣＨ１  ５０３と前記ＣＰＩＣＨ２  ５０４からの測定値の差異がヒステリシス５０８値だけの差異を表すので、前記ＵＥはソフトコンバイン可否を再検討するためにタイマを設定する。前記設定したタイマによりＴ時間が経過したＴ６時点で、前記ＣＰＩＣＨ１  ５０３と前記ＣＰＩＣＨ２  ５０４の測定値の差異が前記ヒステリシス５０８値を外れるので、前記セル１からのＭＢＭＳデータはソフトコンバインで除外させる。従って、前記Ｔ６時点以後から前記ＵＥは前記セル２と前記セル３からのＭＢＭＳデータをソフトコンバインするようになる。最後にＴ７時点で、前記ＣＰＩＣＨ２  ５０４と前記ＣＰＩＣＨ３  ５０５の測定値の差異がヒステリシス５０９値だけの差異を表すので、前記ＵＥはソフトコンバイン可否を再検討するためにタイマを設定する。前記設定したタイマによりＴ時間が経過したＴ８時点で前記ＣＰＩＣＨ２  ５０４と前記ＣＰＩＣＨ３  ５０５の測定値の差異が前記ヒステリシス５０９値を外れるので、前記セル３からのＭＢＭＳデータをソフトコンバインで除外させる。結果的に前記Ｔ７時点以後から前記ＵＥは前記セル２からのＭＢＭＳデータを受信するようになる。
【００７１】
一方、前記図５において、各ヒステリシス５０６、５０７、５０８、５０９は同一の値を使用するか、相異なる値を使用することができる。例えば、ソフトコンバイン参与を判断する基準になる同一の値のヒステリシス５０６、５０７と、ソフトコンバインでの除外を判断する基準になる同一の値のヒステリシス５０８、５０９は相異なる値を有するようにする。
【００７２】
＜第２実施形態＞
上述した実施形態でＲＮＣが隣接セルに対する情報を予め知らせることにより、ＵＥが自体的に現在のセルと隣接セルからの同一のＭＢＭＳデータをソフトコンバインできるように提案している。後述の本発明の他の実施形態ではＲＮＣが隣接セルに対する情報を予め知らせないとも、ＵＥが自体的に現在のセルとハンドオーバのための隣接セルからの同一のＭＢＭＳデータをソフトコンバインできるようにすることである。このために前記ＵＥはソフトハンドオーバが必要であると判断される場合、対象セル（ハンドオーバのための隣接セル）に関する情報を獲得できなければならなく、前記獲得した対象セルに関する情報により前記対象セルからのＭＢＭＳデータを受信できなければならない。
【００７３】
後述する本発明の他の実施形態は大まかに三つの段階で構成される。
一番目の段階：ソフトコンバインの必要可否を判断。
二番目の段階：対象セルから所望するＭＢＭＳデータを受信するために要求される情報を収集。
三番目の段階：収集した情報により対象セルからのＭＢＭＳデータを受信し、前記対象セルからのＭＢＭＳデータと現在セルからのＭＢＭＳデータをソフトコンバイン。
【００７４】
以下、本発明の他の実施形態に従う動作を具体的に説明する。この時、対象セルからのＭＢＭＳデータはＭＢＭＳ伝送チャネル（ＭＢＭＳ  Ｔｒａｎｓｐｏｒｔ  Ｃｈａｎｎｅｌ：ＭＴＣＨ）を通じて伝送され、前記ＭＴＣＨを受信するための情報（以下、ＭＴＣＨ関連情報）はＭＣＣＨを通じて伝送されることを仮定する。また、前記ＭＣＣＨは第２共通制御物理チャネル（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ：Ｓ−ＣＣＰＣＨ）を通じて伝送され、前記Ｓ−ＣＣＰＣＨを通じて前記ＭＣＣＨを受信するための情報（以下、ＭＣＣＨ関連情報）は第１共通制御物理チャネル（Ｐｒｉｍａｒｙ  Ｃｏｍｍｏｎ  Ｃｏｎｔｒｏｌ  Ｐｈｙｓｉｃａｌ  Ｃｈａｎｎｅｌ：Ｐ−ＣＣＰＣＨ）を通じて伝送されることを仮定する。しかし、上述した仮定ではない他の仮定も成立できることは自明であろう。
【００７５】
前記第２実施形態に従う動作を説明すると、ＵＥはハンドオーバによるソフトコンバインが必要であるかを持続的に監視する。前記ハンドオーバによるソフトコンバインが必要であるかを判断することは、既に第１実施形態で図５を参照して詳細に説明した。前記ＵＥは前記ソフトコンバインが必要であると判断すると、前記ソフトコンバインのための対象セルからのＰ−ＣＣＰＣＨを受信する。前述の仮定のように、前記ＵＥは前記Ｐ−ＣＣＰＣＨを受信することにより、ＭＣＣＨを受信するために要求されるＭＣＣＨ関連情報を獲得する。前記ＵＥは前記ＭＣＣＨ関連情報によりＳ−ＣＣＰＣＨを通じて伝送されるＭＣＣＨを受信する。前記ＵＥは前記ＭＣＣＨを受信することにより、ＭＴＣＨ関連情報を獲得するようになる。前記ＭＴＣＨ関連情報は前記対象セルで提供されているＭＢＭＳサービスの識別者情報と、特定ＭＢＭＳサービスによるＭＢＭＳデータを受信するためにチャネル情報を含む。従って、前記ＵＥは前記ＭＣＣＨを受信することにより、自分が現在サービングセルから受信しているＭＢＭＳサービスが前記対象セルでも提供されているかを確認することができる。もし、前記対象セルで自分が所望するＭＢＭＳサービスが遂行されていると判断されると、前記ＵＥは前記ＭＴＣＨ関連情報に含まれたチャネル情報により自分が所望するＭＢＭＳデータが伝送されるＭＴＣＨを受信する。前記ＭＴＣＨを受信することにより、前記ＵＥは前記対象セルから自分が所望するＭＢＭＳデータを複元することができる。前記ＵＥは前記対象セルからＭＢＭＳデータを受信する間にも前記サービングセルからのＭＢＭＳデータを持続的に受信する。従って、前記ＵＥは前記対象セルから受信したＭＢＭＳデータと前記サービングセルから受信したＭＢＭＳデータとのソフトコンバインが可能である。
【００７６】
＜第３実施形態＞
本発明の第３実施形態ではＵＥが現在ＭＢＭＳサービスを提供しているサービングセルからのＭＣＣＨを通じて各隣接セルに対応したＭＣＣＨ関連情報を受信し、ハンドオーバによるソフトコンバインが要求される場合、該当隣接セルに対応したＭＣＣＨ関連情報により前記該当隣接セルからのＭＣＣＨを受信する。前記ＭＣＣＨを受信することにより、前記ＵＥはＭＴＣＨ関連情報を獲得することができる。前記ＵＥは前記獲得したＭＴＣＨ関連情報により所望するＭＴＣＨを通じたＭＢＭＳデータを受信し、前記受信したＭＢＭＳデータと前記サービングセルからのＭＢＭＳデータとのコンバインを遂行する。
【００７７】
上述した第１乃至第３実施形態において、ＵＥがハンドオーバ条件を満足する場合にソフトコンバインを遂行することを仮定している。しかし、特定隣接セルからの信号強さがソフトコンバインを遂行する価値があると判断されると、ソフトコンバインが遂行されるように具現することもできる。即ち、一定の臨界値を設定し、前記臨界値より大きな信号強さが受信される隣接セルに対して本発明の第１乃至第３実施形態を適用する。
【図面の簡単な説明】
【００７８】
【図１】本発明の非同期方式符号分割多重接続移動通信システムの無線ベアラー（ＲＡＤＩＯ  ＢＥＡＲＥＲ）設定過程を示す図。
【図２】本発明の非同期方式符号分割多重接続移動通信システムの無線ベアラー（ＲＡＤＩＯ  ＢＥＡＲＥＲ）再設定過程を示す図。
【図３】本発明の非同期方式符号分割多重接続移動通信システムのセル更新（ｕｐｄａｔｅ）過程を示す図。
【図４】本発明の非同期方式符号分割多重接続移動通信システムの端末機受信器の構成を示している図。
【図５】本発明の実施形態に従う端末機のソフトコンバイン過程を示す図。
【符号の説明】
【００７９】
４１０  アナログ受信器
４２０  サーチャー
４３０  制御部
４４０、４５０  フィンガー
４６０  コンバイナ
４７０  チャネルデコーダ
４４２、４５２  デスクランブラ
４４４、４５４  チャネル推定器
４４６、４５６  逆拡散器
４４８、４５８  ＭＢＭＳデータ復調部
【図１】
2004166209.tif 000004
【図２】
2004166209.tif 000005
【図３】
2004166209.tif 000006
【図４】
2004166209.tif 000007
【図５】
2004166209.tif 000008
【外国語明細書】
2004166209.tif 000009
2004166209.tif 000010
2004166209.tif 000011
2004166209.tif 000012
2004166209.tif 000013
2004166209.tif 000014
2004166209.tif 000015
2004166209.tif 000016
2004166209.tif 000017
2004166209.tif 000018
2004166209.tif 000019
2004166209.tif 000020
2004166209.tif 000021
2004166209.tif 000022
2004166209.tif 000023
2004166209.tif 000024
2004166209.tif 000025
2004166209.tif 000026
2004166209.tif 000027
2004166209.tif 000028
2004166209.tif 000029
2004166209.tif 000030
2004166209.tif 000031
2004166209.tif 000032
2004166209.tif 000033
2004166209.tif 000034
2004166209.tif 000035
2004166209.tif 000036
2004166209.tif 000037
2004166209.tif 000038
2004166209.tif 000039
2004166209.tif 000040